(57)【要約】【課題】分電盤の製造コストを抑えつつ、分電盤から電力が供給される複数の負荷のうち、特定の負荷に流れる電流を計測することができるアダプタ、電流計測ユニット、及び分電盤を提供する。【解決手段】商用交流電源から主幹ブレーカを通じて供給される電力を導電可能なメインバー１４に対して着脱自在に接続される凹部７１，７２，７３と、メインバー１４を介した商用交流電源側から機器側への電力の供給を遮断可能とされる分岐ブレーカ１５ａ，１５ｂにおいて、メインバー１４と接続可能に設けられたプラグイン端子５５に対して着脱自在に接続される凸部７６，７７，７８と、凹部７１から凸部７６に流れる電流を計測する電流センサ２０と、電流センサ２０の計測信号を出力する接点部９０とを備えた。【選択図】図５
2014090592.tif 000002
【特許請求の範囲】
【請求項１】
電源から主幹ブレーカを通じて供給される電力を導電可能な導電バーに対して着脱自在に接続される一次側接続部と、
前記導電バーを介した前記電源側から負荷側への電力の供給を遮断可能とされる遮断器又は前記導電バーを介した前記電源側から前記負荷側への電路を開閉する開閉器において、前記導電バーと接続可能に設けられた端子に対して着脱自在に接続される二次側接続部と、
前記一次側接続部から前記二次側接続部に流れる電流を計測する電流センサと、
前記電流センサの計測信号を出力する接点部と
を備えたことを特徴とするアダプタ。
【請求項２】
前記導電バーは、
前記主幹ブレーカの第１電圧極に対して接続される第１導電バーと、
前記主幹ブレーカにおいて前記第１電圧極とは異なる電圧が印加される第２電圧極に対して接続される第２導電バーと、
前記主幹ブレーカの中性極に対して接続される第３導電バーと
を含んで構成され、
前記一次側接続部は、
前記第１導電バーが接続される第１接続部と、
前記第２導電バーが接続される第２接続部と、
前記第３導電バーが接続される第３接続部と
を含んで構成されることを特徴とする請求項１に記載のアダプタ。
【請求項３】
請求項１又は請求項２に記載のアダプタと、
前記アダプタの前記接点部に接続される配線を有し、前記アダプタから前記接点部を通じて出力される前記電流センサの計測信号を前記配線を通じて外部機器に伝送する基板と
を備えたことを特徴とする電流計測ユニット。
【請求項４】
請求項１又は請求項２に記載のアダプタと、
前記アダプタの前記一次側接続部に対して接続される導電バーと
を備えたことを特徴とする分電盤。
【請求項５】
請求項３に記載の電流計測ユニットと、
前記アダプタの前記一次側接続部に対して接続される導電バーと
を備えたことを特徴とする分電盤。
【発明の詳細な説明】
【技術分野】
【０００１】
本発明は、遮断器又は開閉器と導電バーとを接続するアダプタ、このアダプタを備えた電流計測ユニット、及びこの電流計測ユニットを備えた分電盤に関するものである。
【背景技術】
【０００２】
従来から、商用交流電源に接続されるメインバー（導電バー）と、メインバーに接続される複数の分岐ブレーカ（遮断器）とを有し、商用交流電源からメインバー及び複数の分岐ブレーカを経由して負荷となる各種の機器に対して電力を供給する分電盤が広く知られている（例えば、特許文献１参照）。そして、こうした分電盤における各分岐ブレーカの二次側（機器側）には、各分岐ブレーカから各機器に流れる電流を検出する電流センサが各分岐ブレーカに個別に対応して設けられている。
【先行技術文献】
【特許文献】
【０００３】
【特許文献１】特開平４−３４０４７２号公報
【発明の概要】
【発明が解決しようとする課題】
【０００４】
ところで、上記の分電盤では、分岐ブレーカから電流が流れる複数の機器のうち特定の機器に流れる電流を検出する場合には、その特定の機器と個別に対応する電流センサにより電流が検出される。そして、その特定の機器以外の他の機器に流れる電流を検出する場合には、当該他の機器と個別に対応する他の電流センサにより電流が検出される。すなわち、検出対象となっている機器と個別に対応する電流センサが電流を検出しているときには検出対象から外れた機器と個別に対応する電流センサは不要となるものの、その電流センサと個別に対応する機器が検出対象となったときには必要となる。その結果、分電盤に設けられる電流センサの数が過剰となり、分電盤の製造コストが必要以上に高くなるという問題があった。
【０００５】
本発明は、このような事情に鑑みてなされたものであり、その目的は、分電盤の製造コストを抑えつつ、分電盤から電力が供給される複数の負荷のうち、特定の負荷に流れる電流を計測することができるアダプタ、電流計測ユニット、及び分電盤を提供することにある。
【課題を解決するための手段】
【０００６】
以下、上記課題を解決するための手段について記載する。
上記課題を解決するアダプタは、電源から主幹ブレーカを通じて供給される電力を導電可能な導電バーに対して着脱自在に接続される一次側接続部と、前記導電バーを介した前記電源側から負荷側への電力の供給を遮断可能とされる遮断器又は前記導電バーを介した前記電源側から前記負荷側への電路を開閉する開閉器において、前記導電バーと接続可能に設けられた端子に対して着脱自在に接続される二次側接続部と、前記一次側接続部から前記二次側接続部に流れる電流を計測する電流センサと、前記電流センサの計測信号を出力する接点部とを備える。
【０００７】
また、上記アダプタにおいて、前記導電バーは、前記主幹ブレーカの第１電圧極に対して接続される第１導電バーと、前記主幹ブレーカにおいて前記第１電圧極とは異なる電圧が印加される第２電圧極に対して接続される第２導電バーと、前記主幹ブレーカの中性極に対して接続される第３導電バーとを含んで構成され、前記一次側接続部は、前記第１導電バーが接続される第１接続部と、前記第２導電バーが接続される第２接続部と、前記第３導電バーが接続される第３接続部とを含んで構成されることが好ましい。
【０００８】
また、上記課題を解決する電流計測ユニットは、上記構成のアダプタと、前記アダプタの前記接点部に接続される配線を有し、前記アダプタから前記接点部を通じて出力される前記電流センサの計測信号を前記配線を通じて外部機器に伝送する基板とを備える。
【０００９】
また、上記課題を解決する分電盤は、上記構成のアダプタと、前記アダプタの前記一次側接続部に対して接続される導電バーとを備える。
また、上記課題を解決する分電盤は、上記構成の電流計測ユニットと、前記アダプタの前記一次側接続部に対して接続される導電バーとを備える。
【発明の効果】
【００１０】
本発明によれば、分電盤の製造コストを抑えつつ、分電盤から電力が供給される複数の負荷のうち、特定の負荷に流れる電流を計測することができる。
【図面の簡単な説明】
【００１１】
【図１】実施形態における分電盤の模式図。
【図２】メインバー及び支持台の斜視断面図。
【図３】メインバー及び支持台の側断面図。
【図４】分岐ブレーカが直接接続されたメインバー及び支持台の側断面図。
【図５】分岐ブレーカがアダプタを介して接続されたメインバー及び支持台の側断面図。
【図６】別の実施形態における分電盤の模式図。
【図７】別の実施形態における分電盤の模式図。
【発明を実施するための形態】
【００１２】
以下、分電盤の一実施形態を図１〜図５に従って説明する。
図１に示すように、分電盤１０の外装を構成する筐体１１には、リミッタ１２、主幹ブレーカ１３、導電バーとしてのメインバー１４、分岐ブレーカ１５ａ，１５ｂ、及び基板としての回路基板１６が収容されている。リミッタ１２は、電源としての商用交流電源１７を提供する電力会社との契約に基づいて設定される制限値を超える電流が流れると自動的に回路を遮断するアンペアブレーカである。そして、リミッタ１２は、電力会社の商用配電線１８に接続された引込口配線１９を介して商用交流電源１７に接続されている。また、主幹ブレーカ１３は、漏電や短絡が発生して異常な電流が流れた場合に回路を遮断する漏電遮断器である。
【００１３】
メインバー１４は、主幹ブレーカ１３を介して商用交流電源１７に接続されている。そして、メインバー１４には、複数（本実施形態では８個）の分岐ブレーカ１５ａ，１５ｂが上下両側から接続されている。各分岐ブレーカ１５ａ，１５ｂは、メインバー１４から分岐した分岐電路の途中位置に設けられており、各分岐電路を流れる電流が所定の閾値を超えた場合に分岐電路を通じた電力の供給を遮断可能とされる遮断器として機能する。そして、各分岐ブレーカ１５ａ，１５ｂは、商用交流電源１７からの電力が消費される負荷となる機器２７に対して接続されている。
【００１４】
なお、本実施形態では、メインバー１４に接続された複数の分岐ブレーカ１５ａ，１５ｂのうち、一部（本実施形態では４個）の分岐ブレーカ１５ａ，１５ｂは、電流センサ２０を内蔵したアダプタ２１を介してメインバー１４に接続されている。また、アダプタ２１の電流センサ２０は、回路基板１６に配線として形成されたプリント配線２２を通じて回路基板１６のＩＣ２３に対して電気的に接続されている。
【００１５】
回路基板１６には、プリント配線２２に接続された入出力ポート２４が実装されている。入出力ポート２４には、電力及びデータの両方を一対の線によって伝送可能な伝送線２５を介して外部機器としての本体ユニット２６が接続されている。そして、本体ユニット２６は、外部電源から供給される電力を伝送線２５を通じて回路基板１６のＩＣ２３に駆動電力として伝送している。また、本体ユニット２６には、アダプタ２１の電流センサ２０から出力された電流の計測信号が回路基板１６のプリント配線２２及び伝送線２５を通じて伝送されている。
【００１６】
次に、メインバー１４及びこのメインバー１４を支持する支持台３０の構成について説明する。
図２及び図３に示すように、支持台３０は、略矩形板状をなしており、その前面３０ａの短手方向Ｘの中央位置からは矩形板状をなす壁部３１が垂直に突設されている。壁部３１は、支持台３０の前面３０ａにおける長手方向Ｙの略全域に亘って延在しており、支持台３０の前面３０ａをその短手方向Ｘにおいて仕切っている。
【００１７】
支持台３０の前面３０ａにおける壁部３１を挟んだ短手方向Ｘの両端側には、段差部３２がそれぞれ設けられている。各段差部３２の高さは、支持台３０の前面３０ａのうち、段差部３２と壁部３１との間に位置する面部位３０ｂの高さよりも高い。また、各段差部３２の高さは、壁部３１の高さよりも低い。なお、各段差部３２は、支持台３０の前面３０ａの短手方向Ｘにおいて壁部３１に対向する端面３２ｂが支持台３０の前面３０ａと直交している。
【００１８】
各段差部３２の前面３２ａにおける壁部３１から最も離れた端部には、矩形状をなす凸条３３がそれぞれ設けられている。各凸条３３は、支持台３０の前面３０ａの長手方向Ｙの略全域に亘って延在している。なお、各凸条３３は、支持台３０の前面３０ａの短手方向Ｘにおいて壁部３１に対向する端面３３ａが段差部３２の前面３２ａと直交している。
【００１９】
支持台３０の前面３０ａのうち、段差部３２と壁部３１との間に位置する面部位３０ｂには、第１メインバー１４Ａ及び第２メインバー１４Ｂがそれぞれ保持されている。各メインバー１４Ａ，１４Ｂは、支持台３０の前面３０ａの面部位３０ｂと略同一形状をなす平板部３５Ａ，３５Ｂと、平板部３５Ａ，３５Ｂにおける支持台３０の壁部３１側の端部から切片状に曲げ起こされた複数の端子部３７Ａ，３７Ｂ，３８Ａ，３８Ｂとをそれぞれ有している。各端子部３７Ａ，３７Ｂ，３８Ａ，３８Ｂは、各メインバー１４Ａ，１４Ｂの平板部３５Ａ，３５Ｂから一体に直角に折り曲げられると共に、Ｕ字状又はクランク状となるように更に直角に折り曲げられることにより構成されている。
【００２０】
各メインバー１４Ａ，１４Ｂの端子部３７Ａ，３７Ｂ，３８Ａ，３８Ｂは、支持台３０の前面３０ａの長手方向Ｙに等しい間隔を隔てた複数の位置に交互に配置された第１端子部３７Ａ，３７Ｂ及び第２端子部３８Ａ，３８Ｂによってそれぞれ構成されている。第１端子部３７Ａ，３７Ｂは、支持台３０の壁部３１の先端部位よりも低い位置から直角に折り曲げられることにより、支持台３０の壁部３１から遠ざかる方向に向けて延びている。第２端子部３８Ａ，３８Ｂは、支持台３０の壁部３１の先端部位よりも高い位置から直角に折り曲げられることにより、支持台３０の壁部３１を乗り越えて支持台３０の壁部３１から遠ざかる方向に向けて延びている。
【００２１】
そして、第１メインバー１４Ａの第１端子部３７Ａと第２メインバー１４Ｂの第２端子部３８Ｂは、支持台３０の前面３０ａの長手方向Ｙにおける同一位置から第１メインバー１４Ａ側に向けて互いに平行に延びている。また、第１メインバー１４Ａの第２端子部３８Ａと第２メインバー１４Ｂの第１端子部３７Ｂは、支持台３０の前面３０ａの長手方向Ｙにおける同一位置から第２メインバー１４Ｂ側に向けて互いに平行に延びている。なお、第１メインバー１４Ａの第１端子部３７Ａの先端位置と第２メインバー１４Ｂの第２端子部３８Ｂの先端位置は、支持台３０の前面３０ａの短手方向Ｘにおいて揃っている。また、第１メインバー１４Ａの第２端子部３８Ａの先端位置と第２メインバー１４Ｂの第１端子部３７Ｂの先端位置は、支持台３０の前面３０ａの短手方向Ｘにおいて揃っている。
【００２２】
支持台３０の前面３０ａにおいて壁部３１を挟んだ長手方向Ｙの両端には、一対の支柱４０（図２及び図３では片側の支柱のみ図示）が垂直に突設されている。これらの支柱４０の先端には、矩形板状をなす第３メインバー１４Ｃが支持台３０の前面３０ａと平行に架設されている。なお、第３メインバー１４Ｃの短手方向の両端は端子部４１Ａ，４１Ｂとなっている。そして、第３メインバー１４Ｃの一方側（図３では左側）の端子部４１Ａは、第１メインバー１４Ａの第１端子部３７Ａ及び第２メインバー１４Ｂの第２端子部３８Ｂと平行に第１メインバー１４Ａ側に向けて延びている。また、第３メインバー１４Ｃの他方側（図３では右側）の端子部４１Ｂは、第１メインバー１４Ａの第２端子部３８Ａ及び第２メインバー１４Ｂの第１端子部３７Ｂと平行に第２メインバー１４Ｂ側に向けて延びている。なお、第３メインバー１４Ｃの端子部４１Ａの先端位置は、第１メインバー１４Ａの第１端子部３７Ａの先端位置及び第２メインバー１４Ｂの第２端子部３８Ｂの先端位置に対して支持台３０の前面３０ａの短手方向Ｘにおいて揃っている。また、第３メインバー１４Ｃの端子部４１Ｂの先端位置は、第１メインバー１４Ａの第２端子部３８Ａの先端位置及び第２メインバー１４Ｂの第１端子部３７Ｂの先端位置に対して支持台３０の前面３０ａの短手方向Ｘにおいて揃っている。
【００２３】
また、本実施形態の分電盤１０は、単相三線式の分電盤であり、第１メインバー１４Ａは、主幹ブレーカ１３の第１電圧極４３に対してねじ４４によって接続された第１導電バーとして機能する。また、第２メインバー１４Ｂは、主幹ブレーカ１３において第１電圧極４３とは異なる電圧が印加される第２電圧極４５（図３参照）に対してねじ（図示略）によって接続された第２導電バーとして機能する。また、第３メインバー１４Ｃは、主幹ブレーカ１３の中性極４７に対してねじ４８によって接続された第３導電バーとして機能する。
【００２４】
次に、分岐ブレーカ１５ａ，１５ｂの構成について説明する。
図４に示すように、分岐ブレーカ１５ａ，１５ｂは、略直方体状をなしており、分岐ブレーカ１５ａ，１５ｂにおいて各メインバー１４Ａ，１４Ｂ，１４Ｃに接続される端面５１には、各メインバー１４Ａ，１４Ｂ，１４Ｃの端子部３７Ａ，３７Ｂ，３８Ａ，３８Ｂ，４１Ａ，４１Ｂを個別に差込可能な３個の差込凹部５２ａ，５２ｂ，５３ａ，５３ｂ，５４ａ，５４ｂがそれぞれ形成されている。また、これらの差込凹部５２ａ，５２ｂ，５３ａ，５３ｂ，５４ａ，５４ｂのうち、差込凹部５２ａ，５３ｂ，５４ａ，５４ｂには、各メインバー１４Ａ，１４Ｂ，１４Ｃの端子部３７Ａ，３８Ａ，４１Ａ，４１Ｂに対して差込態様で接続可能な端子としてプラグイン端子５５が設けられている。
【００２５】
具体的には、各メインバー１４Ａ，１４Ｂ，１４Ｃに対して一方側（図４では左側）から接続される分岐ブレーカ１５ａは、第１メインバー１４Ａの第１端子部３７Ａ及び第３メインバー１４Ｃの端子部４１Ａが差し込まれる第１差込凹部５２ａ及び第３差込凹部５４ａにプラグイン端子５５が設けられている。その一方で、分岐ブレーカ１５ａは、第２メインバー１４Ｂの第２端子部３８Ｂが差し込まれる第２差込凹部５３ａにはプラグイン端子が設けられていない。
【００２６】
また、各メインバー１４Ａ，１４Ｂ，１４Ｃに対して他方側（図４では右側）から接続される各分岐ブレーカ１５ｂは、第２メインバー１４Ｂの第１端子部３７Ｂ及び第３メインバー１４Ｃの端子部４１Ｂが差し込まれる第２差込凹部５３ｂ及び第３差込凹部５４ｂにプラグイン端子５５が設けられている。その一方で、分岐ブレーカ１５ｂは、第１メインバー１４Ａの第２端子部３８Ａが差し込まれる第１差込凹部５２ｂにはプラグイン端子が設けられていない。
【００２７】
そして、分岐ブレーカ１５ａ，１５ｂが各メインバー１４Ａ，１４Ｂ，１４Ｃに直接接続された場合には、分岐ブレーカ１５ａ，１５ｂの底面６０は、支持台３０の前面３０ａのうち、段差部３２と壁部３１との間に位置する面部位３０ｂに位置する第１メインバー１４Ａ及び第２メインバー１４Ｂの平板部３５Ａ，３５Ｂに支持されている。この場合、各メインバー１４Ａ，１４Ｂ，１４Ｃに接続される端面５１とは反対側の端面６１は、分岐ブレーカ１５ａ，１５ｂの差込方向に沿う方向となる支持台３０の前面３０ａの短手方向Ｘにおいて段差部３２の端面３２ｂによって係止されている。
【００２８】
次に、アダプタ２１の構成について説明する。
図５に示すように、アダプタ２１は、略直方体状をなしており、アダプタ２１において各メインバー１４Ａ，１４Ｂ，１４Ｃに接続される端面７０には、各メインバー１４Ａ，１４Ｂ，１４Ｃの端子部３７Ａ，３７Ｂ，３８Ａ，３８Ｂ，４１Ａ，４１Ｂを個別に差込可能な３個の凹部７１，７２，７３が一次側接続部として形成されている。これらの凹部７１，７２，７３は、各分岐ブレーカ１５ａ，１５ｂの差込凹部５２ａ，５２ｂ，５３ａ，５３ｂ，５４ａ，５４ｂと同一の形状を有している。
【００２９】
アダプタ２１において各メインバー１４Ａ，１４Ｂ，１４Ｃに接続される端面７０とは反対側の端面７５には、分岐ブレーカ１５ａ，１５ｂの各差込凹部５２ａ，５２ｂ，５３ａ，５３ｂ，５４ａ，５４ｂに対して個別に差込可能な３個の凸部７６，７７，７８が二次側接続部として形成されている。これらの凸部７６，７７，７８は、各メインバー１４Ａ，１４Ｂ，１４Ｃの端子部３７Ａ，３７Ｂ，３８Ａ，３８Ｂ，４１Ａ，４１Ｂと同一の厚みを有している。
【００３０】
アダプタ２１には、凹部７１，７２，７３と凸部７６，７７，７８とを個別に電気的に接続する伝送路８０，８１，８２が形成されている。具体的には、第１メインバー１４Ａの第１端子部３７Ａ及び第２メインバー１４Ｂの第１端子部３７Ｂが差し込まれる第１接続部及び第２接続部としての第１凹部７１は、分岐ブレーカ１５ａの第１差込凹部５２ａ及び分岐ブレーカ１５ｂの第２差込凹部５３ｂに対して第１伝送路８０を通じて電気的に接続されている。また、第１メインバー１４Ａの第２端子部３８Ａ及び第２メインバー１４Ｂの第２端子部３８Ｂが差し込まれる第１接続部及び第２接続部としての第２凹部７２は、分岐ブレーカ１５ａの第２差込凹部５３ａ及び分岐ブレーカ１５ｂの第１差込凹部５２ｂに対して第２伝送路８１を通じて電気的に接続されている。また、第３メインバー１４Ｃの両端子部４１Ａ，４１Ｂが差し込まれる第３接続部としての第３凹部７３は、分岐ブレーカ１５ａの第３差込凹部５４ａ及び分岐ブレーカ１５ｂの第３差込凹部５４ｂに対して第３伝送路８２を通じて電気的に接続されている。なお、各凹部７１，７２，７３と該凹部７１，７２，７３に対応した凸部７６，７７，７８とは、アダプタ２１が各メインバー１４Ａ，１４Ｂ，１４Ｃに接続された場合に互いに異なる高さに配置されており、支持台３０の前面３０ａからの距離が互いに異なっている。
【００３１】
第１伝送路８０の途中位置には、第１伝送路８０を通じて凹部７１側から凸部７６側に流れる電流を計測する電流センサ２０が設けられている。また、アダプタ２１の底面には、電流センサ２０による電流の計測信号を信号線を通じて外部に出力する接点部９０が設けられている。接点部９０は、図示しないコネクタを介して回路基板１６のプリント配線２２に対して電気的に接続されている。この場合、アダプタ２１及び回路基板１６は、電流センサ２０による電流の計測信号を本体ユニット２６に向けて伝送する電流計測ユニットを構成している。
【００３２】
そして、分岐ブレーカ１５ａ，１５ｂが各メインバー１４Ａ，１４Ｂ，１４Ｃに対してアダプタ２１を介して接続された状態において、分岐ブレーカ１５ａ，１５ｂの底面６０は、支持台３０の前面３０ａのうち、段差部３２の前面３２ａに支持されている。この場合、各メインバー１４Ａ，１４Ｂ，１４Ｃに接続される端面５１とは反対側の端面６１は、分岐ブレーカ１５ａ，１５ｂの差込方向に沿う方向となる支持台３０の前面３０ａの短手方向Ｘにおいて凸条３３の端面３３ａによって係止されている。
【００３３】
次に、上記のように構成された分電盤１０の作用について説明する。
さて、分電盤１０から電力が供給される機器２７のうち、特定の機器２７に流れる電流を計測する場合、各メインバー１４Ａ，１４Ｂ，１４Ｃに設けられた複数の端子部３７Ａ，３７Ｂ，３８Ａ，３８Ｂ，４１Ａ，４１Ｂのうち、計測対象となる機器２７に対応する分岐ブレーカ１５ａ，１５ｂが接続される端子部３７Ａ，３７Ｂ，３８Ａ，３８Ｂ，４１Ａ，４１Ｂにアダプタ２１の凹部７１，７２，７３が差し込まれる。そして、各メインバー１４Ａ，１４Ｂ，１４Ｃの端子部３７Ａ，３７Ｂ，３８Ａ，３８Ｂ，４１Ａ，４１Ｂは、各々が対応するアダプタ２１の伝送路８０，８１，８２に対して電気的に接続される。
【００３４】
そして次に、アダプタ２１の各凸部７６，７７，７８が、各々が対応する分岐ブレーカ１５ａ，１５ｂの差込凹部５２ａ，５２ｂ，５３ａ，５３ｂ，５４ａ，５４ｂに対して差し込まれる。そして、分岐ブレーカ１５ａ，１５ｂの差込凹部５２ａ，５３ｂ，５４ａ，５４ｂに設けられたプラグイン端子５５は、各々が対応するアダプタ２１の伝送路８０，８２を通じて各メインバー１４Ａ，１４Ｂ，１４Ｃの端子部３７Ａ，３７Ｂ，４１Ａ，４１Ｂに対して電気的に接続される。
【００３５】
具体的には、各メインバー１４Ａ，１４Ｂ，１４Ｃに対してアダプタ２１を介して一方側から接続される分岐ブレーカ１５ａは、第１差込凹部５２ａに設けられたプラグイン端子５５が、アダプタ２１の第１伝送路８０を通じて第１メインバー１４Ａの第１端子部３７Ａに対して電気的に接続される。また、この分岐ブレーカ１５ａは、第３差込凹部５４ａに設けられたプラグイン端子５５が、アダプタ２１の第３伝送路８２を通じて第３メインバー１４Ｃの端子部４１Ａに対して電気的に接続される。そして、第１メインバー１４Ａの第１端子部３７Ａからアダプタ２１の第１伝送路８０を通じて分岐ブレーカ１５ａのプラグイン端子５５に向けて流れる電流の大きさが電流センサ２０によって計測される。
【００３６】
また、各メインバー１４Ａ，１４Ｂ，１４Ｃに対してアダプタ２１を介して他方側から接続される分岐ブレーカ１５ｂは、第２差込凹部５３ｂに設けられたプラグイン端子５５が、アダプタ２１の第１伝送路８０を通じて第２メインバー１４Ｂの第１端子部３７Ｂに電気的に接続される。また、この分岐ブレーカ１５ｂは、第３差込凹部５４ｂに設けられたプラグイン端子５５が、アダプタ２１の第３伝送路８２を通じて第３メインバー１４Ｃの端子部４１Ｂに対して電気的に接続される。そして、第２メインバー１４Ｂの第１端子部３７Ｂからアダプタ２１の第１伝送路８０を通じて分岐ブレーカ１５ｂのプラグイン端子５５に向けて流れる電流の大きさが電流センサ２０によって計測される。
【００３７】
続いて、電流センサ２０によって検出された電流の計測信号は、アダプタ２１の接点部９０から回路基板１６のプリント配線２２及び伝送線２５を通じて本体ユニット２６に伝送される。なお、本体ユニット２６は、各メインバー１４Ａ，１４Ｂ，１４Ｃを通じて各分岐ブレーカ１５ａ，１５ｂに印加される電圧の大きさを示す電圧信号を外部から取得している。そして、本体ユニット２６においては、電流センサ２０から伝送される電流の計測信号と、外部から取得した電圧信号とに基づいて、各メインバー１４Ａ，１４Ｂ，１４Ｃからアダプタ２１及び分岐ブレーカ１５ａ，１５ｂを介して特定の機器２７に供給される電力値が演算される。また、本体ユニット２６によって演算された電力値は、本体ユニット２６から外部のモニタ機器に伝送される。そのため、外部のモニタ機器によって表示される電力値が視認されることにより、分電盤１０から特定の機器２７に供給されている電力量が容易に把握される。
【００３８】
ところで、本実施形態では、分電盤１０から電力が供給される複数の機器２７のうち、計測対象ではない他の機器２７に対応する分岐ブレーカ１５ａ，１５ｂとメインバー１４Ａ，１４Ｂ，１４Ｃとの間にはアダプタ２１が介在していない。そのため、計測対象ではない他の機器２７に対応して電流センサ２０を内蔵したアダプタ２１が設けられることはない。その結果、必要とされる電流センサ２０の数に対して分電盤１０に設けられる電流センサ２０の数が過剰となることがなく、分電盤１０の製造コストの低減が図られる。
【００３９】
また、本実施形態では、分電盤１０から電力が供給される機器２７のうち、電流の計測対象とする機器２７を変更する場合には、計測対象となっていた機器２７に対応する分岐ブレーカ１５ａ，１５ｂとメインバー１４Ａ，１４Ｂ，１４Ｃとの間に介在していたアダプタ２１がメインバー１４Ａ，１４Ｂ，１４Ｃから取り外される。そして、メインバー１４Ａ，１４Ｂ，１４Ｃから取り外されたアダプタ２１が、新たに計測対象となった機器２７に対応する分岐ブレーカ１５ａ，１５ｂとメインバー１４Ａ，１４Ｂ，１４Ｃとの間に介設される。そして、新たに計測対象となった機器２７に向けてメインバー１４Ａ，１４Ｂ，１４Ｃからアダプタ２１及び分岐ブレーカ１５ａ，１５ｂを通じて流れる電流の大きさが、アダプタ２１に内蔵された電流センサ２０によって計測される。すなわち、分電盤１０から電力が供給される機器２７のうち、電流の計測対象となる機器２７が、メインバー１４Ａ，１４Ｂ，１４Ｃに対するアダプタ２１及び分岐ブレーカ１５ａ，１５ｂの着脱動作を通じて容易に変更される。
【００４０】
上記実施形態によれば、以下に示す効果を得ることができる。
（１）分電盤１０から電力が供給される複数の機器２７のうち、特定の機器２７に流れる電流を計測する場合には、計測対象となる特定の機器２７に対応する分岐ブレーカ１５ａ，１５ｂとメインバー１４Ａ，１４Ｂ，１４Ｃとの間にアダプタ２１を介在させる。その結果、この特定の機器２７に対応する分岐ブレーカ１５ａ，１５ｂがアダプタ２１を介してメインバー１４Ａ，１４Ｂ，１４Ｃに対して接続される。そして、メインバー１４Ａ，１４Ｂ，１４Ｃから分岐ブレーカ１５ａ，１５ｂを介して特定の機器２７に流れる電流がアダプタ２１に設けられた電流センサ２０によって計測される。また、分電盤１０から電力が供給される複数の機器２７のうち、計測対象ではない他の機器２７に対応する分岐ブレーカ１５ａ，１５ｂとメインバー１４Ａ，１４Ｂ，１４Ｃとの間にはアダプタ２１を介在させない。そのため、計測対象ではない他の機器２７に対応して電流センサ２０が設けられることはなく、必要とされる電流センサ２０の数に対して分電盤１０に設けられる電流センサ２０の数が過剰となることがない。したがって、分電盤１０の製造コストを抑えつつ、分電盤１０から電力が供給される複数の機器２７のうち、特定の機器２７に流れる電流を計測することができる。また、分電盤１０から電力が供給される機器２７のうち、電流の計測対象となる機器２７を、メインバー１４Ａ，１４Ｂ，１４Ｃに対するアダプタ２１及び分岐ブレーカ１５ａ，１５ｂの着脱動作を通じて容易に変更することができる。
【００４１】
（２）アダプタ２１は、第１メインバー１４Ａの端子部３７Ａが接続される第１凹部７１と、第２メインバー１４Ｂの端子部３８Ｂが接続される第２凹部７２と、第３メインバー１４Ｃの端子部４１Ａが接続される第３凹部７３とを有している。そのため、単相３線式の分電盤１０に対してアダプタ２１を適用することができる。
【００４２】
（３）回路基板１６に形成されたプリント配線２２をアダプタ２１の接点部９０に接続することにより、電流センサ２０の計測信号を本体ユニット２６に伝送する伝送経路を簡易な施工動作を通じて形成することができる。
【００４３】
（４）メインバー１４Ａ，１４Ｂ，１４Ｃに対して一方側から接続される分岐ブレーカ１５ａとメインバー１４Ａ，１４Ｂ，１４Ｃとの間に介在されるアダプタ２１は、メインバー１４Ａ，１４Ｂ，１４Ｃに対して他方側から接続される分岐ブレーカ１５ｂとメインバー１４Ａ，１４Ｂ，１４Ｃとの間に介在されるアダプタ２１と同一の構成となっている。そのため、アダプタ２１の汎用性を高めることにより、分電盤１０の製造コストの更なる低減を図ることができる。
【００４４】
（５）アダプタ２１は、メインバー１４Ａ，１４Ｃから分岐ブレーカ１５ａに流れる電流の大きさを計測する電流センサ２０が、メインバー１４Ｂ，１４Ｃから分岐ブレーカ１５ｂに流れる電流の大きさを計測する電流センサとして兼用されている。そのため、アダプタ２１に内蔵する電流センサ２０の数を低減することにより、分電盤１０の製造コストの更なる低減を図ることができる。
【００４５】
（６）メインバー１４Ａ，１４Ｂ、１４Ｃに対して直接接続された分岐ブレーカ１５ａ，１５ｂの端面６１は、支持台３０の段差部３２の端面３２ｂによって係止されている。また、メインバー１４Ａ，１４Ｂ，１４Ｃに対してアダプタ２１を介して接続された分岐ブレーカ１５ａ，１５ｂの端面６１は凸条３３の端面３３ａによって係止されている。そのため、分電盤１０から電力が供給される複数の機器２７のうち、一部の機器２７に流れる電流を計測する場合に、双方の分岐ブレーカ１５ａ，１５ｂを分電盤１０に対して安定して取り付けることができる。
【００４６】
なお、上記実施形態は、以下のような別の実施形態に変更してもよい。
・上記実施形態において、図６に示すように、アダプタ２１において電流センサ２０からの計測信号が出力される接点部９０と、本体ユニット２６から延びる伝送線２５に接続されたコネクタ１００との間にワイヤーハーネス１０１が接続される構成としてもよい。
【００４７】
・上記実施形態において、図７に示すように、回路基板１６のＩＣ２３を、電力演算機能を有する電力演算ＩＣとして機能させてもよい。
この場合、回路基板１６のＩＣ２３には、アダプタ２１において電流センサ２０から出力される電流の計測信号が、接点部９０に対してコネクタを介して接続されたプリント配線２２を通じて伝送される。また、回路基板１６のＩＣ２３には、本体ユニット２６が外部から取得した電圧信号が伝送線２５を通じて伝送される。そして、回路基板１６のＩＣ２３は、本体ユニット２６から伝送される電圧信号と、電流センサ２０から出力される電流の計測信号とに基づいて、メインバー１４Ａ，１４Ｂ，１４Ｃからアダプタ２１及び分岐ブレーカ１５ａ，１５ｂを通じて各機器２７に供給される電力値を演算する。
【００４８】
この構成では、本体ユニット２６に電力演算機能を持たせる必要が無くなるため、本体ユニット２６の制御構成が簡素となることにより、本体ユニット２６を小型化することができる。
【００４９】
・上記実施形態において、支持台３０に段差部３２を設けることなく、支持台３０の前面３０ａの短手方向Ｘの両側に凸条３３を設けてもよい。
この場合、分電盤１０から電力が供給される複数の機器２７のうち、電流の計測対象ではない機器２７に対応する分岐ブレーカ１５ａ，１５ｂとメインバー１４Ａ，１４Ｂ，１４Ｃとの間に、電流センサ２０を内蔵していないアダプタ２１を介在させてもよい。
【００５０】
この構成では、メインバー１４Ａ，１４Ｂ，１４Ｃに接続された全ての分岐ブレーカ１５ａ，１５ｂの端面６１が凸条３３の端面３３ａによって係止される。そのため、全ての分岐ブレーカ１５ａ，１５ｂを分電盤１０に対して安定して取り付けることができる。
【００５１】
また、分電盤１０から電力が供給される複数の機器２７のうち、電流の計測対象ではない機器２７に対応する分岐ブレーカ１５ａ，１５ｂと支持台３０の凸条３３との間に間詰め材を介在させてもよい。
【００５２】
この構成では、メインバー１４Ａ，１４Ｂ，１４Ｃに接続された分岐ブレーカ１５ａ，１５ｂのうち、電流の計測対象ではない機器２７に対応する分岐ブレーカ１５ａ，１５ｂの端面６１が間詰め材を介して支持台３０の凸条３３の端面３３ａによって係止される。そのため、全ての分岐ブレーカ１５ａ，１５ｂを分電盤１０に対して安定して取り付けることができる。
【００５３】
・上記実施形態において、アダプタ２１が適用される分電盤１０は単相三線式の分電盤に限定されず、単相二線式の分電盤１０にアダプタ２１を適用してもよい。この場合、アダプタ２１は、メインバーに接続される凹部が二箇所に設けられると共に、分岐ブレーカ１５ａ，１５ｂに接続される凸部が二箇所に設けられる構成としてもよい。
【００５４】
・上記実施形態において、分岐ブレーカ１５ａ，１５ｂに代えて、メインバーから分岐した分岐電路を流れる電流が所定の閾値を超えた場合であっても分岐電路を遮断する機能を有さない開閉器を設け、この開閉器によって分岐電路を必要に応じて開閉させてもよい。
【符号の説明】
【００５５】
１０…分電盤、１３…主幹ブレーカ、１４…導電バーとしてのメインバー、１４Ａ…第１導電バーとしての第１メインバー、１４Ｂ…第２導電バーとしての第２メインバー、１４Ｃ…第３導電バーとしての第３メインバー、１５ａ，１５ｂ…遮断器としての分岐ブレーカ、１６…電流計測ユニットを構成する基板としての回路基板、１７…電源としての商用交流電源、２０…電流センサ、２１…電流計測ユニットを構成するアダプタ、２２…配線としてのプリント配線、２６…外部機器としての本体ユニット、４３…第１電圧極、４５…第２電圧極、４７…中性極、５５…端子としてのプラグイン端子、７１…一次側接続部を構成する第１接続部及び第２接続部としての第１凹部、７２…一次側接続部を構成する第１接続部及び第２接続部としての第２凹部、７３…一次側接続部を構成する第３接続部としての第３凹部、７６，７７，７８…二次側接続部としての凸部、９０…接点部。
【図１】
2014090592.tif 000003
【図２】
2014090592.tif 000004
【図３】
2014090592.tif 000005
【図４】
2014090592.tif 000006
【図５】
2014090592.tif 000007
【図６】
2014090592.tif 000008
【図７】
2014090592.tif 000009